(57)【要約】【課題】  画像を分割して複数の携帯型画像表示端末に配信した画像を、端末間でやり取りして合成画像を作成するというデジタル画像を使った新しいサービスを提供する。【解決手段】  任意の画像を複数に分割し（Ｓ２０４）、分割した画像を複数の情報端末に分配し（Ｓ２０５）、受信した画像データを判定する（Ｓ２０６）機能を備え、他端末との間で互いの画像を交換し、取得した画像から合成画像を作成し、表示する。【選択図】  図２
2006109915.tif 000002
【特許請求の範囲】
【請求項１】
画像を複数に分割する分割手段と、
分割した画像を複数の情報端末に配信する配信手段と、
受信したデータを判定する判定手段とを備えるホストサーバと、
前記ホストサーバと通信する通信手段と、
受信した画像を指定された表示方法で表示する表示手段と、
他端末との間で互いの画像を交換する交換手段と、
前記取得した画像から合成画像を作成する合成手段と、
前記合成画像を送信する送信手段とを備える携帯型画像表示端末とからなる画像処理システム。
【請求項２】
前記分割手段は、
任意の画像を複数の任意のパターンに分割することを特徴とする請求項１の画像処理システム。
【請求項３】
前記配信手段は、
任意の画像を任意の配信パターンで配信することを特徴とする請求項１の画像処理システム。
【請求項４】
前記携帯型画像表示端末において、
同一の画像より分割された異なる画像が複数の端末にそれぞれ表示されている場合に、端末間の距離が一定距離内になると検知する検知手段を備えることを特徴とする請求項１の画像処理システム。
【請求項５】
前記合成手段は、
受信した複数の画像データから合成画像を作成することを特徴とする請求項１の画像処理システム。
【請求項６】
前記検知手段と合成手段とを組合せることにより、同一の画像より分割された異なる画像が複数の端末にそれぞれ表示されている場合に、端末間の距離が一定距離内になると、分割前の画像を再現して表示されることを特徴とする請求項１の画像処理システム。
【請求項７】
前記再現される画像は、取得されていない画像データについては表示しない、またはモザイク表示であること、を特徴とする請求項１の画像処理システム。
【請求項８】
画像を複数に分割する分割工程と、
分割した画像を複数の情報端末に配信する配信工程と、
受信したデータを判定する判定工程と、
受信した画像を指定された表示方法で表示する表示工程と、
他端末との間で互いの画像を交換する交換工程と、
前記取得した画像から合成画像を作成する合成工程と、
前記合成画像を送信する送信工程とを備えることを特徴とする画像処理方法。
【発明の詳細な説明】
【技術分野】
【０００１】
本発明は、画像処理システム及び方法に関して、特に、デジタル画像を使ってサービスを提供する画像処理システム及び方法に関する。
【背景技術】
【０００２】
従来、ジグソーパズルのような分割された画像を収集して再生することを楽しむ娯楽が存在する。
【０００３】
また、電子的にデータを交換したり、収集したりするコミュニケーションゲームが存在する。（例えば、特許文献１参照）
【特許文献１】特開２００１−３０６５７３号公報
【発明の開示】
【発明が解決しようとする課題】
【０００４】
しかし、携帯端末でかつ通信機能を利用して、分割された画像データを収集してオリジナル画像を再現する電子ジグソーパズルのようなゲームはなかった。
【０００５】
また、ひとつの画像を分割した複数の画像を、複数の情報端末に配信するサービスはなかった。
【０００６】
また、分割された画像を収集して元の画像を再現する画像合成技術を適用した
端末及びサービスはなかった。
【０００７】
本発明は、複数の情報端末間で、同一の画像から分割された異なる画像を交換・収集し、獲得した画像データを元にオリジナル画像を再生することにより、携帯型画像表示端末を使った新しいコミュニケーションゲームを提案する。
【課題を解決するための手段】
【０００８】
上記課題を解決する為に本発明の画像処理システムは、画像を複数に分割する分割手段と、分割した画像を複数の情報端末に配信する配信手段と、受信したデータを判定する判定手段とを備えるホストサーバと、前記ホストサーバと通信する通信手段と、受信した画像を指定された表示方法で表示する表示手段と、他端末との間で互いの画像を交換する交換手段と、前記取得した画像から合成画像を作成する合成手段と、前記合成画像を送信する送信手段とを備える携帯型画像表示端末とからなる。
【０００９】
また、本発明の画像処理方法は、画像を複数に分割する分割工程と、分割した画像を複数の情報端末に配信する配信工程と、受信したデータを判定する判定工程と、受信した画像を指定された表示方法で表示する表示工程と、他端末との間で互いの画像を交換する交換工程と、前記取得した画像から合成画像を作成する合成工程と、前記合成画像を送信する送信工程とを備える。
【発明の効果】
【００１０】
本発明によれば、任意の画像を分割して複数の携帯型画像表示端末に配信した画像を、端末間でやり取りして合成画像を作成するという、通信機能を持った携帯型画像表示端末を使ってジグソーパズル的な遊び方を実現する。
【００１１】
また、オリジナル画像を再生することを目的として、これを早く達成した者に特典を与えるなどのサービスの利用を可能にするものである。
【００１２】
なお、このシステムを使ったサービスは、ジグソーパズルに限定されず、絵合わせ、またはカードトレーディングゲームであってもよい。
【００１３】
このように、新しい携帯型画像表示端末の使い方と、これを利用した新しいサービスビジネスを実現可能にする、という効果がある。
【発明を実施するための最良の形態】
【００１４】
以下、図面を用いて本発明の一実施の形態を詳細に説明する。
【００１５】
（実施の形態１）
図１は、本実施形態に係る情報処理装置の一実施の形態のハードウェア構成を示すブロック図である。
【００１６】
同図において、１は、情報を入力するための入力部である。２は、ＣＰＵであり、各種処理のための演算、論理判断等を行ない、バス６に接続された各構成要素を制御する。３は、情報を出力する出力部である。
【００１７】
４は、プログラムメモリであり、フローチャートにつき後述する処理手順を含むＣＰＵ２による制御のためのプログラムを格納するメモリである。プログラムメモリ４は、ＲＯＭであってもよいし、外部記憶装置などからプログラムがロードされるＲＡＭであってもよい。
【００１８】
５は、データメモリであり、各種処理で生じたデータを格納するほか知識ベースの知識を格納する。データメモリ５は、例えばＲＡＭとするが、知識ベースの知識は、不揮発な外部記憶媒体から、処理に先立ってロードしておく、あるいは、必要があるごとに参照するものとする。
【００１９】
７は、インターフェース部であり、外部のホストサーバや他の端末と、ネットワークを介して通信を行う。
【００２０】
６は、ＣＰＵ２の制御の対象とする構成要素を指示するアドレス信号、各構成要素を制御するためのコントロール信号、各構成機器相互間でやりとりされるデータの転送を行なうためのバスである。以下、図面を用いて本発明の１実施形態を詳細に説明する。
【００２１】
図２は、本実施の形態に係るホストサーバ処理の流れを示す図である。
【００２２】
同図に示すように、システムが起動されると、ステップＳ２０１において、システム起動処理が起動される。
【００２３】
次にステップＳ２０２において、イベント待ち処理が起動されてイベントの発生を待ち、イベントが発生すると、ステップＳ２０３において、イベントが分割である場合には、ステップＳ２０４に進み、分割手段を起動して画像の分割を行ない、ステップＳ２０３に戻り以降の処理を繰り返す。
【００２４】
イベントが配信である場合には、ステップＳ２０５に進み、配信手段を起動してデータを配信し、ステップＳ２０３に戻り以降の処理を繰り返す。
【００２５】
イベントが受信である場合には、ステップＳ２０６に進み、判定手段を起動して受信したデータに対応する処理を行ない、ステップＳ２０３に戻り以降の処理を繰り返す。
【００２６】
続くステップＳ２０７において、結果対応処理を起動し、判定結果に対応して、例えば、結果に応じてエラーを返信したり、結果に応じて順位をつけてリストに格納するなどの処理を行ない、ステップＳ２０３に戻り以降の処理を繰り返す。
【００２７】
ステップＳ２０３において、電源がオフである場合にはステップＳ２０８に進み、システム終了処理を起動し、システムを終了する。
【００２８】
なお、分割手段による分割の方法は、線形による分割に限定せず、色による分割、または、オブジェクトによる分割、または輪郭による分割、またはランダムに抽出されたドットによるもの、または、輪郭、色、テクスチャなどカテゴリの違うものであってもよい。
【００２９】
図３は、本実施の形態に係る画像表示端末の処理の流れを示す図である。
【００３０】
同図に示すように、システムが起動されると、ステップＳ３０１において、システム起動処理が起動され、次にステップＳ３０２においてイベント待ち処理が起動されてイベントの発生を待つ。イベントが発生すると、ステップＳ３０３において、イベントが受信である場合には、ステップＳ３０４に進み、表示手段を起動して受信画像の表示を行ない、ステップＳ３０２に戻り、以降の処理を繰り返す。
【００３１】
イベントが検知である場合には、ステップＳ３０５に進み、検知手段を起動して検知を行い、ステップＳ３０２に戻り以降の処理を繰り返す。
【００３２】
イベントが交換である場合には、ステップＳ３０６に進み、交換手段を起動してデータ交換を行ない、ステップＳ３０２に戻り以降の処理を繰り返す。
【００３３】
イベントが合成である場合には、ステップＳ３０７に進み、合成手段を起動して画像合成を行ない、ステップＳ３０２に戻り以降の処理を繰り返す。
【００３４】
イベントが送信である場合には、ステップＳ３０８に進み、送信手段を起動して送信を行ない、ステップＳ３０２に戻り以降の処理を繰り返す。
【００３５】
ステップＳ３０３において、電源がオフである場合にはステップＳ３０９に進み、システム終了処理を起動し、システムを終了する。
【００３６】
図４は、本実施形態に係る分割手段による画像分割の例を示す図である。
【００３７】
同図に示すようにオリジナル画像４０１があった場合、分割手段により複数のパターン４０２に分割したものである。この場合、画像１から画像９まで９枚の分割画像が生成されている。尚、当然のことであるが画像１から画像９は説明のための表示であり、実際には表示されない。
【００３８】
画像４０３は、複数のパターン４０２で生成された分割画像を受信した情報端末の表示画面の例であり、この場合、分割画像１のみを受信し表示している。
【００３９】
図５は、本実施形態に係る配信手段の流れを示す図である。
【００４０】
同図に示すように、配信手段が起動されると、ステップＳ５０１において、リスト取得手段を起動し、宛先リストを取得する。
【００４１】
次に、ステップＳ５０２において、処理対象を宛先リスト先頭にセットする。
【００４２】
次に、ステップＳ５０３において、処理対象を画像群の先頭にセットする。
【００４３】
次に、ステップＳ５０４において、宛先リストに宛先がある場合には、ステップＳ５０５に進み、続いて、処理対象画像がある場合には、ステップＳ５０６に進み、現在処理対象の宛先に画像を送信する。
【００４４】
次に、ステップＳ５０７において、リストを進める。
【００４５】
次に、ステップＳ５０４に戻って以降の処理を繰り返す。
【００４６】
ステップＳ５０４において、リストに宛先が無い場合、及びステップＳ５０５において、処理対象画像が無い場合には、以降の処理を省略して終了する。
【００４７】
図６は、本実施形態に係る判定手段の流れを示す図である。
【００４８】
同図に示すように、判定手段が起動されると、ステップＳ６０１において、受信データが画像である場合には、ステップＳ６０２に進み、オリジナル画像と比較する。
【００４９】
ステップＳ６０１において、受信データが画像以外の場合には、ステップＳ６０４に進み、その他の処理を起動し、対応する処理を行なう。
【００５０】
次に、ステップＳ６０３において、データが一致する場合には、Ｔｒｕｅを返して終了する。
【００５１】
ステップＳ６０３において、データが一致しなかった場合には、Ｆａｌｓｅを返して終了する。
【００５２】
図７は、本実施形態の一例を示す図である。
【００５３】
同図に示すように、画像表示機能を有する携帯情報端末Ａの表示画面７０１における、ある時点の表示例であり、分割画像データのうち、画像１、画像７、画像９が取得済みとして表示されている。画像表示機能を有する携帯情報端末Ｂの表示画面７０２における、ある時点における表示例であり、分割画像データのうち、画像２、画像３、画像５が取得済みとして表示されている。
【００５４】
また、画像表示機能を有する携帯情報端末Ａ及びＢにおいて、両者間でデータ交換を行なった結果のそれぞれの表示画面７０３の例であり、この場合、両者の保有していた分割画像データと交換により取得した分割画像データより合成された表示画像が表示されている。
【００５５】
本発明は、携帯電話など画像表示機能と通信機能を備えた情報端末を使ったコンテンツサービスを想定するものである。
【００５６】
例えば、ゲーム等のコンテンツサービスで、任意の分割画像を配信し、そのすべての画像を一定期間内で集める、また、画像を集める期間の短さを競って得点を獲得する、または、すべての画像を集めると一つの意味のある画像を形成する、またはクイズの答えとなる画像が表示される、といったようなものである。
【００５７】
これは例えば、会員登録制のサービスであっても良いし、懸賞広告であってもよい。
【００５８】
なお、本実施形態に係るシステムを使った他のサービスとして、ジグゾーパズルに限らず、宝探し、カード集めの形式をとってもよい。
【００５９】
以下に、本発明の実施の形態について、具体的な動作を図を用いて説明する。
【００６０】
例えば、懸賞広告のようなキャンペーンをある事業体が行なうとして、本発明を適用した電子ジグソーパズルシステムを使って、早くオリジナル画像を再生して送信してきたユーザに特典を与えるとする。
【００６１】
図２のように、ホストサーバが起動すると、イベント待ち処理が起動され、入力を待つ。
【００６２】
図４にあるように、任意の画像４０１がジグソーパズルのオリジナル画像として指定されると、Ｓ２０４の分割手段が起動され、オリジナル画像４０１を分割した画像データ群４０２が生成される。
【００６３】
次に、Ｓ２０５の配信手段が起動されると、Ｓ５０１で宛先リスト及び分割画像リストが取得され、宛先に対して分割画像を送信する。
【００６４】
図３のように、携帯型画像表示端末が起動すると、Ｓ３０２でイベント待ち処理が起動され、入力を待つ。
【００６５】
上記ホストサーバからの画像を受信すると、Ｓ３０４で表示手段が起動され、受信した分割画像が表示される。
【００６６】
図７にあるように、ある時点において、７０１のように情報端末Ａが任意の画像より生成された分割画像である画像１、画像７、画像９を表示している。同様に、７０２のように情報端末Ｂが、同一の画像から生成された他の分割画像である画像２、画像３、画像５を表示している。
【００６７】
この時、情報端末Ａ及び情報端末Ｂが、一定距離内に接近すると、Ｓ３０５の検知手段が起動し、同一の画像から生成された分割画像を保有する情報端末の存在をそれぞれ検知する。
【００６８】
そこで、Ｓ３０６の交換手段を起動するとすると、情報端末Ａの保有する分割画像である画像１、画像７、画像９のデータの複製と情報端末Ｂの保有する分割画像である画像２、画像３、画像５のデータの複製が交換される。すなわち、お互いに複製を送信し合し、受信した新たな分割画像データを自端末の画面に表示する。
【００６９】
続いて、Ｓ３０７で合成手段を起動すると、従来保有していた画像に新たに取得した画像を合成した画像が作成される。同様にして、携帯型画像表示端末において分割画像を収集していき、オリジナル画像を再現したら、Ｓ３０８の送信手段を起動して、ホストサーバに合成画像（すなわち、再現されたオリジナル画像）を送信する。
【００７０】
なお、このとき、交換を申し出る情報端末の方で、交換したいファイルを指定し提示するものとしてもよい。また、交換を申し出られた情報端末の側では、交換提示されたファイルリストを参照したうえで、交換を拒否してもよい。もちろん、交換の申し出自体を拒否してもよいものとする。
【００７１】
こうした情報端末間のやりとりは、電子メールや、インターネットや携帯電話の機能を使ったインスタントメッセージを利用するものと想定する。
【００７２】
さて、ホストサーバにおいて、情報端末より送信された画像を受信すると、Ｓ２０６の判定手段が起動し、Ｓ６０２でオリジナル画像と比較した結果を返す。この結果を受けて、続くｓ207の結果対応処理において受信した画像がオリジナル画像と一致し場合には、受信した時間順で順位をつけて、リストを作成する。
【００７３】
この場合、懸賞広告のようなキャンペーン行なっている事業体の方で、このリストを使って、ユーザに特典を与える。
【００７４】
なお、情報端末に配信する分割画像データに予めダミーデータを混ぜておき、オリジナル画像再現の難易度を上げてもよい。またこの場合、不正解であっても不自然でない画像になるように予め作成しておくとさらに難易度が増して面白い。
【００７５】
また、情報端末によりサーバに送信される解答は、再現された合成画像そのもののデータではなく、再現された画像より推測可能なキーワードなどでもよい。
【図面の簡単な説明】
【００７６】
【図１】本実施の形態に係る画像処理装置の一実施形態のハードウェア構成を示すブロック図である。
【図２】本実施の形態に係るホストサーバの処理の流れを示す図である。
【図３】本実施の形態に係る携帯型画像表示端末の処理の流れを示す図である。
【図４】本実施の形態に係る分割手段による例を示す図である。
【図５】本実施も形態に係る配信手段の流れを示す図である。
【図６】本実施の形態に係る判定手段の流れを示す図である。
【図７】本実施の形態の一例を示す図である。
【符号の説明】
【００７７】
１  入力部
２  ＣＰＵ
３  出力部
４  プログラムメモリ
５  データメモリ
６  バス
７  インターフェース
【図１】
2006109915.tif 000003
【図２】
2006109915.tif 000004
【図３】
2006109915.tif 000005
【図４】
2006109915.tif 000006
【図５】
2006109915.tif 000007
【図６】
2006109915.tif 000008
【図７】
2006109915.tif 000009